(57)【要約】【課題】簡単な構造で、薬液を容易に噴射して眼に当てて洗眼することができ、またアイカップに薬液を満たし眼を浸して洗眼することも可能な洗眼容器を提供する。【解決手段】弾力性のある容器本体１２の開口部１４に連通する注出口２４が形成されたキャップ１８と、注出口２４に取り付けられ容器本体１２の底部付近に達するパイプ６２を有する。ヒンジ部３２を介して注出口２４に対して着脱自在に設けられているとともに、抽出口２４を閉鎖する蓋部３６と、キャップ１８に着脱自在に設けられたアイカップ５２とを備える。アイカップ５２には、キャップ１８の上面に重ねて取り付けられる底部５４と、底部５４のほぼ中央に立設され、側面部５６の開口縁５７の高さよりやや低い位置に達し抽出口２４に大径の基端部が嵌合するするノズル５８とを備える。【選択図】      図１
2004261436.tif 000002
【特許請求の範囲】
【請求項１】
一端部に開口部が形成された容器本体と、上記容器本体に取り付けられ上記開口部に連通する注出口が形成されているキャップと、上記キャップの上記注出口に取り付けられ上記容器本体の底部付近に達するパイプと、上記キャップにヒンジ部を介して上記注出口に対して着脱自在に設けられているとともに上記抽出口を閉鎖する蓋部と、上記キャップに着脱自在に設けられたアイカップとを有し、上記アイカップには、上記キャップの上面に重ねて取り付けられる底部と、上記底部に連続し上方にやや広がる側面部と、上記底部のほぼ中央に立設され上記側面部の開口縁の高さより低い位置に達し上記抽出口に大径の基端部が嵌合するするノズルと、上記ノズルの先端に形成され上記パイプの径よりも小さい径の噴射口が設けられていることを特徴とする洗眼容器。
【請求項２】
上記アイカップの上記ノズルの内周面は上記キャップに近づくほど径が小さくなる円錐状の形状であり、上記キャップの上記注出口は、上記キャップ上面部から先端に向かうほど径が広がるラッパ状に形成され、上記アイカップの底部が上記キャップの上面部に当接した状態で上記注出口の先端部が上記ノズルの内周面に押圧されることにより、上記キャップと上記アイカップが連結されることを特徴とする請求項１記載の洗眼容器。
【請求項３】
上記蓋部の上記ヒンジ部近傍には、上記蓋部を上記ヒンジ部を中心に１８０度を越える所定角度に開けた状態で、上記蓋部を上記キャップ部に係止される係止手段が設けられていることを特徴とする請求項１記載の洗眼容器。
【発明の詳細な説明】
【０００１】
【発明の属する技術分野】
この発明は、眼を洗浄する薬液を収容する洗眼容器に関する。
【０００２】
【従来の技術】
【特許文献１】特開平１１−２９９８５４号公報
【特許文献２】特開２０００−２６２５８４号公報
従来、眼を洗浄する薬液を収容する洗眼容器は、上端部に開口部が設けられた３００ｍｌまたは５００ｍｌ程度の容量であるボトル状の容器本体と、この容器本体の開口部を閉鎖するキャップが設けられている。そして、容器本体とは別体の、洗浄用の小形のアイカップが設けられている。このような、洗眼容器の使用方法は、まずアイカップに、容器本体から薬液を例えば５ｍｌ注ぎ、眼の周りにアイカップの開口縁を押し当て、中の薬液が漏れない程度にアイカップの開口縁を押して顔に密着させる。次に、顔を上向きにしてアイカップを逆にし、眼が薬液全体に浸漬するようにして瞬きを繰り返せば眼の表面の汚れを洗い流すことができる。
【０００３】
しかし、この方法はせっかく眼を洗っているにもかかわらず、アイカップに包含された部分の皮膚に付着している汚れや、睫毛に付着しているほこりや塵が洗眼液の中に混在された状態の薬液で眼を洗っていることになり、かえって雑菌等が眼に付く恐れがあった。また、顔を仰向けにさせた状態での使用動作は煩わしいという問題もあった。
【０００４】
この問題点を解決するものとして、特許文献１に示す洗眼容器がある。この洗眼容器は、口部に噴射ノズルを有する容器本体と、口部に上向きに装着する受液ボウルが設けられている。この洗眼容器の使用方法は、受液ボウルの上面を閉じるようにして顔を伏せ、眼を噴射ノズルに対向させ、容器本体を握るようにして弾性変形させる。すると、噴射ノズルから容器本体内の薬液が噴射し、噴射した薬液を眼に当てて洗眼するものである。
【０００５】
また、特許文献２に示す洗眼容器もある。この洗眼容器は、口部にポンプを組み込む容器本体と、容器本体に取り付ける受液ボウルが設けられている。受液ボウルは、上向きの噴射ノズルを有し、この噴射ノズルはポンプの操作ロッドに連結されている。受液ボウルの下端部には上記容器本体の上部をカバーするスカート部が設けられている。この洗眼容器の使用方法は、受液ボウルの上面を閉じるようにして顔を伏せ、眼を噴射ノズルに対向させ、一方の手によってスカート部を握り、他方の手によって容器本体を繰り返し押し上げる。すると、操作ロッドが軸方向に往復駆動してポンプを作動させ、噴射ノズルから容器本体内の薬液を噴射させて眼に当てて洗眼する。
【０００６】
【発明が解決しようとする課題】
上記の特許文献１の場合、受液ボウルの構造が複雑であり、また容器本体には螺合により着脱される別体のキャップが設けられているため、洗眼するとき、キャップを回転させて容器本体から外し容器本体に受液ボウルを取り付けなければならず、手間がかかる。また、容器本体の噴射ノズルは受液ボウルの深さの中間付近に位置するため、噴射される薬液が眼にあたりにくく、また強く容器を押して薬液を勢い良く噴射させなければ眼に届かないものである。
【０００７】
上記の特許文献２の場合、ポンプが取り付けられているため構造がより複雑であり、携帯に不便である。受液ボウルの内側に、ポンプの作動を規制するストッパが設けられているため、洗眼するとき容器本体からストッパを外し、受液ボウルを容器本体に取り付けなければならず、手間がかかる。また、特許文献１と同様に、噴射ノズルが受液ボウルの深さの中間付近に位置するため、噴射される薬液が眼にあたりにくく、また強く容器を押して薬液を勢い良く噴射させなければ眼に届かないものである。
【０００８】
この発明は上記従来の問題点に鑑みてなされたものであり、簡単な構造で薬液を容易に噴射して眼に当てて洗眼することができ、またアイカップに薬液を満たし眼を浸して洗眼することも可能な洗眼容器を提供することを目的とする。
【０００９】
【課題を解決するための手段】
この発明は、一端部に開口部が形成された弾力性のある容器本体と、上記容器本体に取り付けられ上記開口部に連通する注出口が形成されているキャップと、上記キャップの上記注出口に取り付けられ上記容器本体の底部付近に達するパイプと、上記キャップにヒンジ部を介して上記注出口に対して着脱自在に設けられているとともに上記抽出口を閉鎖する蓋部と、上記キャップに着脱自在に設けられたアイカップとを有する洗眼容器である。上記アイカップには、上記キャップの上面に重ねて取り付けられる底部と、上記底部に連続し上方にやや広がる側面部と、上記底部のほぼ中央に立設され上記側面部の開口縁の高さよりやや低い位置に達し上記抽出口に大径の基端部が嵌合するするノズルと、上記ノズルの先端に形成され上記パイプの径よりも小さい径の噴射口が設けられている洗眼容器である。
【００１０】
上記アイカップの上記ノズルの内周面は、上記キャップに近づくほど径が小さくなる円錐状の形状であり、上記キャップの上記注出口は、上記キャップ上面部から先端に向かうほど径が広がるラッパ状に形成されている。そして、上記アイカップの底部が上記キャップの上面部に当接した状態で、上記注出口の先端部が上記ノズルの内周面に押圧されることにより、上記キャップと上記アイカップが連結される。
【００１１】
上記蓋部の上記ヒンジ部近傍には、上記蓋部を上記ヒンジ部を中心に１８０度を越える所定角度に開けた状態で、上記蓋部を上記キャップ部に係止される係止手段が設けられている。
【００１２】
この発明の洗眼容器は、アイカップの開口縁を閉じるようにして顔を伏せ、眼をノズルに対向させた上、一方の手によって容器本体を握るようにして弾性変形させる。すると、容器本体内の薬液が、パイプを上昇して注出口から噴出し、ノズル先端の噴射口から噴射する。噴射したきれいな薬液により、眼を洗眼することができる。噴射口の径は、パイプの径よりも小さいため、容器本体を弱い力で押圧しても確実に噴射口から薬液が噴射される。またノズルは開口縁の近傍まで達して眼の近くに噴射口が位置するため、噴射された薬液が眼に容易に当たる。
【００１３】
【発明の実施の形態】
以下、この発明の実施形態について図面に基づいて説明する。図１〜図３は、この発明の一実施形態を示したものであり、この実施形態の洗眼容器１０は、適度な弾性力を有する合成樹脂製の容器本体１２を有し、容器本体１２の一端部には、円筒状の開口部１４が一体に形成され、開口部１４の側面には雄ねじが一体に形成されている。
【００１４】
容器本体１２の開口部１４には、キャップ１８が取り付けられている。キャップ１８は開口部１４の突出方向に対してほぼ直角に位置する円形の上面部２０を有し、上面部２０の周縁部に円筒状の側面部２２が形成されている。上面部２０の中央には、開口部１４に連通し上記上面部２０から直角に外側に突出する筒状の注出口２４が形成されている。注出口２４の外周面は、先端に近づくにつれて径が大きくなるラッパ状に形成されている。注出口２４の内周面も、先端に近づくつれて径が大きくなるテーパ面で形成されている。上記注出口２４の端縁部２４ａは、後述するアイカップ５２内周面５８ａに押し付けられて係止される。キャップ１８の上面部２０内側には、容器本体１２の開口部１４の内周面に当接する円筒状の取付部２６が設けられている。
【００１５】
そして、キャップ１８の上面部２０の、周縁部の一部に、キャップ１８の内側にＬ字形にくぼんだ切欠部２８が形成されている。切欠部２８の、上面部２０に対して平行でキャップ１８の側面部２２の途中に形成された端面には、後述する蓋部３６を係止する溝部３０が形成されている。溝部３０は、側面部２２に対してほぼ平行に設けられている。そして、切欠部２８の両脇部には、上面部２０と側面部２２で形成された角部分に、薄肉のヒンジ部３２が一対設けられている。
【００１６】
一対のヒンジ部３２の先端には、キャップ１８の上面部２０を覆う蓋部３６が、ヒンジ部３８を介してキャップ１８と一体に形成されている。蓋部３６は、キャップ１８の上面部２０と同じ大きさのドーム形の覆い部３８を有し、覆い部３８の周縁部４０の一部には、矩形の切欠部４２が形成されている。切欠部４２の周縁部４０に対して平行な端縁部４２ａには、一対のヒンジ部３２の先端が連結されている。そして一対のヒンジ部３２の内側には、蓋部３６の周縁部４０に、覆い部３８の湾曲方向へ突出する係止突起４４が形成されている。覆い部３８の、ヒンジ部３２と反対側には、周縁部４０に連続して側方へ突出する摘み部４６が設けられている。また、キャップ１８の側面部２２の、ヒンジ部３２と反対側には、側面部２２からわずかに内側にくぼむ凹部３４が形成されている。
【００１７】
蓋部３６の覆い部３８の内側面には、覆い部３８の中央に、周縁部４０に対して直角に延出する円柱状の差込部４８が設けられている。差込部４８の外径は、キャップ１８の注出口２４の一番狭いところとほぼ同じ径に形成されている。差込部４８の周囲には、筒状の当接部５０が一周して形成されている。
【００１８】
洗眼容器１０には、キャップ１８に着脱自在なアイカップ５２が設けられている。アイカップ５２は、キャップ１８の上面部２０より少し大きい円形の底部５４を有し、底部５４の周囲に側面部５６が設けられている。側面部５６は、底部５４から離れるほど径が大きくなり、側面部５６の開口縁５７は、顔の眼付近の形状に沿うように曲線で形成されている。底部５４の中心には、円筒状のノズル５８が一体に形成され、開口縁５７近傍まで達している。ノズル５８の内周面５８ａは、中空の円筒形であり、底部５４から離れるにつれて径が小さくなるテーパ状に形成されている。内周面５８ａは、キャップ１８の注出口２４が当接し緊密に嵌合される径に形成されている。ノズル５８の先端には、小さい透孔である噴射口６０が設けられている。
【００１９】
キャップ１８の注出口２４の内側には、パイプ６２が取り付けられている。パイプ６２の下端部は、容器本体１２の底部付近に達し、薬液に浸けられている。
【００２０】
次に、この実施形態の洗眼容器１０の使用方法について説明する。洗眼容器１０を使用していないときは、蓋部３６をキャップ１８にかぶせておく。このとき、蓋部３６の差込部４８はキャップ１８の注出口２４の径が小さい部分に隙間無く嵌合され密閉している。また蓋部３６の当接部５０は、注出口２４の先端部の径が大きい部分に嵌合され、蓋部３６をキャップ１８に係止するとともに内容物の流出を防いでいる。
【００２１】
そして内容物である薬液を取り出すときは、蓋部３６の摘み部４６を、キャップ１８の凹部３４に沿って指を動かすことにより押し上げて、蓋部の３６の差込部４８と当接部５０を、キャップ１８の注出口２４から引き抜き、係合を解除する。さらに蓋部３６を、ヒンジ部３２を中心として移動させ、１８０度を超えた所定角度に開けたとき、蓋部３６の係止突起４４がキャップ１８の溝部３０に差しこまれ、所定角度でキャップ１８に係止される。
【００２２】
次に、キャップ１８にアイカップ５２を取り付ける際は、蓋部３６を開けてアイカップ５２のノズル５８内側に、キャップ１８の注出口２４を押し込む。すると注出口２４の先端の径が大きい部分がアイカップ５２のノズル５８のテーパー状の内周面５８ａに当接し、係止される。また、蓋部３６は、係止突起４４がキャップ１８の溝部３０に嵌合し、１８０度を超えて開いた状態で係止される。
【００２３】
洗眼するときは、まず、アイカップ５２の開口縁５７のやや上方で顔を伏せ、眼をノズル５８に対向させた上、一方の手によって容器本体１２を握るようにして弾性変形させる。すると、容器本体１２内の薬液が、パイプ６２を上昇して注出口２４から押し出され、ノズル５８先端の噴射口６０から噴射する。噴射した薬液を眼球に当てて洗眼する。ここで、パイプ６２の径よりも噴射口６０の径が小さいため、容器本体１２を弱い力で押圧しても確実に噴射口６０から薬液が噴射される。またノズル５８は開口縁５７の近傍まで達して眼の近くに噴射口６０が位置するため、噴射された薬液が眼に容易に当たる。洗眼後の薬液は、アイカップ５２にたまり、洗眼が完了すると、容器本体１２を傾けてアイカップ５２内の薬液を廃棄し、アイカップ５２を外す。そして、蓋部３６の係止突起４４と、キャップ１８の溝部３０の係合を解除し、蓋部３６をキャップ１８の上面部２０にかぶせて閉鎖する。
【００２４】
また、眼を薬液に浸すようにして洗眼する場合は、アイカップ５２を容器本体１２から外した状態で薬液を入れ、アイカップ５２の開口縁５７を閉じるようにして顔を密着させ、顔を仰向けにして薬液により眼とその周辺を浸して洗眼する。アイカップ５２に薬液を満たして顔に密着させ、顔を上向きにしても、噴出口６０は小さいため噴出口６０から薬液がこぼれ落ちることがない。
【００２５】
この実施形態の洗眼容器１０によれば、簡単な構造で、アイカップ５２をキャップ１８に簡単で確実に取り付け、アイカップ５２の噴射口６０から薬液を噴射させて洗眼することができる。蓋部３６は、キャップ１８側に閉じたときの位置に対して、１８０度を超えた所定角度で開いた状態でキャップ１８に係合することができ、アイカップ５２を支障なくキャップ１８に取りつけることができる。蓋部３６はヒンジ部３２でキャップ１８に連結され、また蓋部３６の差込部４８と当接部５０をキャップ１８の注出口２４に差しこんで互いに係止されているだけなので、簡単に開閉することができる。そして、アイカップ５２の噴射口６０は、パイプ６２の径よりも小さく形成されているため、弱い力でも確実に薬液を噴射させることができ、操作性が良好である。また噴射口６０は、眼に近い位置にあるため、正確に薬液を眼に当てることができ、眼に必要以上に勢い良く薬液が当たらず、刺激が少なく安全である。アイカップ５２の開口縁５７は、顔に密着する曲線で形成されているため、薬液を満たして眼に当てて洗眼することもできる。また、構造が簡単であるため、携帯にも便利である。
【００２６】
なお、この発明の洗眼容器は、上記実施形態に限定されるものではなく、各部材の形状は自由であり、キャップと蓋部は互いに１８０度以上開いた状態で確実に係止されるものであれば良く、ヒンジ部や係止突起、溝部等の構造は自由に変更可能である。アイカップは、使用しないときに逆にして上記キャップに伏せた状態で係止される係止手段を設けても良い。
【００２７】
【発明の効果】
この発明の洗眼容器は、きれいな薬液で洗眼することができ、しかも簡単な構造で、弱い力でも容易に薬液を噴射させて洗眼することができる。薬液の噴射口は眼の近くに位置するため、確実に薬液を眼に当てて洗眼することができる。
【図面の簡単な説明】
【図１】この発明の一実施形態の洗眼容器の縦断面図である。
【図２】この実施形態の洗眼容器のアイカップの縦断面図である。
【図３】この実施形態の洗眼容器のキャップと蓋部の縦断面図である。
【符号の説明】
１０  洗眼容器
１２  容器本体
１４  開口部
１８  キャップ
２０  上面部
２２  側面部
２４  注出口
２６  取付部
２８  切欠部
３０  溝部
３２  ヒンジ部
３４  凹部
３６  蓋部
３８  覆い部
４０  周縁部
４２  切欠部
４４  係止突起
４６  摘み部
４８  差込部
５０  当接部
５２  アイカップ
５４  底部
５６  側面部
５７  開口縁
５８  ノズル
６０  噴射口
６２  パイプ
【図１】
2004261436.tif 000003
【図２】
2004261436.tif 000004
【図３】
2004261436.tif 000005